(57)【要約】【課題】注出量の設定値の異なる定量注出器を容易に製造可能とする。【解決手段】定量注出器１は、注出される内容物を一時的に収容するシリンダ１０と、シリンダ１０に上方付勢状態で下方移動可能に配設された有頂筒状の押下ヘッド４０と、シリンダ１０内に配設され、押下ヘッド４０に連係して該シリンダ１０内を上下移動するピストン部５０と、シリンダ１０に固定され、ピストン部５０の上方移動量を規制する規制部７０と、ピストン部５０及び規制部７０の少なくともいずれか一方に装着され、ピストン部５０の上死点の位置を下方に変更するスペーサ８０と、を備える。【選択図】図１
2020070068.tif 000002
【特許請求の範囲】
【請求項１】
注出される内容物を一時的に収容するシリンダと、
前記シリンダに連設されるとともに前記内容物が収容される容器の口部に配設されて、前記シリンダの内圧の増減に応じて該シリンダとの連通および遮断が切り替えられる吸い上げ筒と、
前記シリンダに直結されて側方に向けて延び、前記シリンダの内圧の増減に応じて該シリンダとの連通および遮蔽が切り替えられる注出筒と、
前記シリンダに上方付勢状態で下方移動可能に配設された有頂筒状の押下ヘッドと、
前記シリンダ内に配設され、前記押下ヘッドに連係して該シリンダ内を上下移動するピストン部と、
前記シリンダに固定され、前記ピストン部の上方移動量を規制する規制部と、
前記ピストン部及び前記規制部の少なくともいずれか一方に装着され、前記ピストン部の上死点の位置を下方に変更するスペーサと、を備える、ことを特徴とする定量注出器。
【請求項２】
前記ピストン部及び前記規制部の少なくともいずれか一方は、他方に向かって延びる被装着部を有し、
前記スペーサは、
前記被装着部に装着可能な装着部と、
前記装着部に連設され、前記他方に向かって延び、前記他方と当接可能な当接部と、を有し、
前記当接部は、前記被装着部と同じ形状を有する、ことを特徴とする請求項１に記載の定量注出器。
【請求項３】
前記ピストン部は、
前記シリンダ内に摺動可能に配設されるピストン本体と、
前記押下ヘッドに固定され、前記シリンダ内において前記ピストン本体を支持するピストン支持部と、を有し、
前記スペーサは、前記規制部と前記ピストン支持部との間に配設されるとともに、前記規制部に装着されている、ことを特徴とする請求項１または２に記載の定量注出器。
【発明の詳細な説明】
【技術分野】
【０００１】
本発明は、定量注出器に関する。
【背景技術】
【０００２】
従来から、下記特許文献１記載の定量注出器が知られている。この定量注出器は、シリンダ部と、シリンダ部の内周面に沿ってシリンダ軸方向に摺動可能なピストン部と、ピストン部を操作するピストン操作部と、シリンダ部内の液室に連通された筒状の吸込み部と、吸込み部の内側に配設され、ピストン部の引戻し動作に連動して開けられる開閉可能な吸込み弁と、内容物を吐出する吐出口を有し、シリンダ部の側方に向かって突出しているとともに、シリンダ部に直結されて液室に連通された筒状のノズル部と、ノズル部の内側に配設され、ピストン部の押込み動作に連動して開けられる開閉可能な吐出弁と、を備えている。
この定量注出器では、ピストン操作部を押し下げて、その押し下げを解除すると、ピストン部の引戻し動作によって、シリンダ部内が負圧になって吸込み弁が開かれ、吸込み部とシリンダ部とが連通し、吸込み部から内容物がシリンダ部内に吸入される。その状態で、ピストン操作部を押し下げると、吐出弁が開かれ、シリンダ部とノズル部とが連通してシリンダ部内に吸入された内容物がノズル部から注出される。
【先行技術文献】
【特許文献】
【０００３】
【特許文献１】特開２０１８−２２３０号公報
【発明の概要】
【発明が解決しようとする課題】
【０００４】
このような定量注出器においては、用途などに応じて、注出量の異なる様々な定量注出器が求められている。前記従来の定量注出器では、注出量の設定値（注出量のプリセット）を変更する場合には、シリンダ部やピストン操作部などの各部品を新規に作製し、組み立てる必要があった。しかしながら、定量注出器の各部品は、シール部や嵌合部などを多く含むため、新規に部品を作製すると、シール部や嵌合部などの検査や確認事項が多く、作製費用が嵩み、また、作製期間が延びるなどの課題があった。
【０００５】
本発明は、このような事情に鑑みてなされたものであって、その目的は、注出量の設定値の異なる定量注出器を容易に製造可能とすることである。
【課題を解決するための手段】
【０００６】
（１）本発明に係る定量注出器は、注出される内容物を一時的に収容するシリンダと、前記シリンダに連設されるとともに前記内容物が収容される容器の口部に配設されて、前記シリンダの内圧の増減に応じて該シリンダとの連通および遮断が切り替えられる吸い上げ筒と、前記シリンダに直結されて側方に向けて延び、前記シリンダの内圧の増減に応じて該シリンダとの連通および遮蔽が切り替えられる注出筒と、前記シリンダに上方付勢状態で下方移動可能に配設された有頂筒状の押下ヘッドと、前記シリンダ内に配設され、前記押下ヘッドに連係して該シリンダ内を上下移動するピストン部と、前記シリンダに固定され、前記ピストン部の上方移動量を規制する規制部と、前記ピストン部及び前記規制部の少なくともいずれか一方に装着され、前記ピストン部の上死点の位置を下方に変更するスペーサと、を備える、ことを特徴とする。
【０００７】
本発明に係る定量注出器によれば、シリンダ内においてピストン部の上方移動量を規制する規制部の少なくともいずれか一方に、スペーサを装着することで、ピストン部の上死点の位置を下げ、注出量の設定値を減らすことができる。これにより、定量注出器の主要な各部品（シリンダなど）を新規に作製する必要がなくなり、既存の部品を流用でき、それでいて注出精度も従来と同等に得られる。また、スペーサは、構造的にも単純であるため、定量注出器の主要な各部品を新規に作製するよりも、作製費用及び作製期間を大幅に改善することができる。
【０００８】
（２）前記ピストン部及び前記規制部の少なくともいずれか一方は、他方に向かって延びる被装着部を有し、前記スペーサは、前記被装着部に装着可能な装着部と、前記装着部に連設され、前記他方に向かって延び、前記他方と当接可能な当接部と、を有し、前記当接部は、前記被装着部と同じ形状を有していても良い。
【０００９】
この場合には、スペーサの当接部に、もう一つのスペーサの装着部を装着できるようになり、スペーサ同士を連結できる。これにより、注出量の設定値に応じて、スペーサを追加し、ピストン部の上死点の位置を段階的に下方に変更することが可能になる。
【００１０】
（３）前記ピストン部は、前記シリンダ内に摺動可能に配設されるピストン本体と、前記押下ヘッドに固定され、前記シリンダ内において前記ピストン本体を支持するピストン支持部と、を有し、前記スペーサは、前記規制部と前記ピストン支持部との間に配設されるとともに、前記規制部に装着されていても良い。
【００１１】
この場合には、スペーサが、可動しない規制部に装着されるとともに、ピストン支持部との間に配設されることで、スペーサの装着が安定性し、かつピストン支持部からピストン本体が脱離するなどの不具合も抑制可能になる。
【発明の効果】
【００１２】
本発明に係る定量注出器によれば、注出量の設定値の異なる定量注出器を容易に製造することが可能となる。
【図面の簡単な説明】
【００１３】
【図１】本発明の一実施形態に係る定量注出器の断面図である。
【図２】図１に示す定量注出器に設けられた規制部と、その規制部に装着されるスペーサとを示す部分断面図である。
【図３】図１に示す定量注出器にスペーサを装着しなかったときのピストンの上死点の位置を示す断面図である。
【図４】本発明の一実施形態に係るスペーサの変形例を示す部分断面図である。
【図５】本発明の一実施形態に係るスペーサの変形例を示す部分断面図である。
【発明を実施するための形態】
【００１４】
以下、図面を参照し、本発明の一実施形態に係る定量注出器を説明する。
【００１５】
図１に示すように、本実施形態の定量注出器１は、内容物を収容した容器２の口部２ａに装着されるものである。この定量注出器１は、シリンダ１０と、吸い上げ筒２０と、注出筒３０と、押下ヘッド４０と、ピストン部５０と、規制部７０と、スペーサ８０と、を備えている。なお、容器２内に収容される内容物としては、例えば水や酒類などの液体飲料のように比較的粘度の低い液体が挙げられるが、低粘度の液体に限られない。
【００１６】
シリンダ１０は有底筒状とされ、吸い上げ筒２０は筒状とされ、押下ヘッド４０は有頂筒状とされるとともに、それぞれの中心軸は共通軸上に位置している。以下、この共通軸を軸線Ｏと称し、軸線Ｏ方向に沿って押下ヘッド４０側（図１における上側）を上方とし、その反対側（吸い上げ筒２０側（図１における下側））を下方とする。また、軸線Ｏ方向を上下方向、軸線Ｏ方向から視て軸線Ｏに交差する方向を径方向、軸線Ｏ回りの方向を周方向とする。
【００１７】
容器２は、内容物を収容する容器であり、例えばガラス瓶やペットボトル等の合成樹脂製ボトル等である。この容器２の口部２ａは、軸線Ｏを中心軸とし上下方向に延在する円筒形状を有し、口部２ａの外周面には、雄ネジが形成されている。
【００１８】
シリンダ１０は、容器２の口部２ａの上方に配設され、注出される内容物を一時的に収容するものである。シリンダ１０は、有底円筒状をなしており、内容物を収容（計量）するシリンダ本体部１１を備えている。シリンダ本体部１１の下面における径方向中央部には、吸い上げ筒２０に連通する吸い上げ連通口１１ａが形成され、吸い上げ連通口１１ａから径方向外側に離間した位置には、注出筒３０に連通する注出連通口１１ｂが形成されている。
【００１９】
吸い上げ筒２０は、シリンダ１０に連設されるとともに容器２の口部２ａに配設されて、シリンダ１０の内圧の増減に応じて該シリンダ１０との連通および遮断が切り替えられる。吸い上げ筒２０は、容器２の口部２ａの外側に装着される装着キャップ２１と、口部２ａの内側に装着される中栓２２と、装着キャップ２１が嵌着する嵌着筒部２３と、シリンダ本体部１１の内側に連通した接続筒部２４と、接続筒部２４に接続されたチューブ２５と、吸い上げ連通口１１ａを開閉する吸い上げ弁２６と、を備えている。
【００２０】
装着キャップ２１は、円筒形状を有し、軸線Ｏを中心軸にして上下方向に延設されている。この装着キャップ２１の内周面には、口部２ａの雄ネジに螺合される雌ネジが形成されている。これにより、装着キャップ２１は、口部２ａの外周面に螺着している。
【００２１】
中栓２２は、円筒形状を有し、軸線Ｏを中心軸にして口部２ａと同軸上に配設されている。中栓２２の外周面には、径方向外側に向けて突出したフランジ部２２ａが形成されている。このフランジ部２２ａは、周方向の全周に亘って形成された円環状の板部である。フランジ部２２ａは、中栓２２を支持する支持部であり、口部２ａの上端開口縁に載置されている。
【００２２】
嵌着筒部２３は、シリンダ本体部１１の底部に連設された筒状部であり、軸線Ｏを中心軸にして上下方向に沿って延設されている。この嵌着筒部２３の下端部は、装着キャップ２１の上端部の内側に挿入されて、装着キャップ２１の上端部にアンダーカット嵌合されている。嵌着筒部２３の下端面は、中栓２２のフランジ部２２ａ上に載置されており、このフランジ部２２ａを介してシリンダ本体部１１は口部２ａの上端開口縁に支持されている。
【００２３】
接続筒部２４は、嵌着筒部２３の径方向内側に配設された筒状部であり、軸線Ｏを中心軸にして上下方向に沿って延設されている。接続筒部２４の上端部は、シリンダ本体部１１の底部に連設され、その上端開口は吸い上げ連通口１１ａに連通している。接続筒部２４の外周面には、中栓２２が外嵌している。
【００２４】
チューブ２５は、容器２の内側に挿入されて、容器２内の内容物を吸い上げるためのチューブであり、例えば可撓性を有するフレキシブルチューブからなる。なお、チューブ２５は、単なる円筒状のパイプであってもよい。チューブ２５の下端は、容器２内に開放されており、チューブ２５の上端部は、接続筒部２４の内側に嵌合されて、シリンダ本体部１１の内部に連通している。
【００２５】
吸い上げ弁２６は、シリンダ本体部１１から接続筒部２４（容器２側）への内容物の流出を止める逆止弁であり、ピストン部５０の引戻し動作（上方移動）に連動して開けられる。吸い上げ弁２６は、吸い上げ連通口１１ａの開口周縁部の窪みに嵌合された環状の嵌合部２６ａと、嵌合部２６ａの径方向内側に配設されて吸い上げ連通口１１ａを開閉する円板状の弁体部２６ｂと、弁体部２６ｂの外周面と嵌合部２６ａの内周面とを周方向に間欠的に連結する弾性変形可能な弾性連結部２６ｃと、を備えている。
【００２６】
注出筒３０は、シリンダ１０に直結されて側方に向けて延び、シリンダ１０の内圧の増減に応じて該シリンダ１０との連通および遮蔽が切り替えられるものである。注出筒３０は、シリンダ本体部１１の底部の下面から側方（軸線Ｏに交差する方向）に向かって突出すると共にシリンダ本体部１１の内側に連通した突出筒部３１と、突出筒部３１に接続されたノズル部３２と、突出筒部３１の内部に配設された注出弁３３と、を備えている。
【００２７】
ノズル部３２は、突出筒部３１の外周面にアンダーカット嵌合されている。ノズル部３２の先端部は、下向きに屈曲している。注出弁３３は、注出筒３０内からシリンダ本体部１１内への内容物及び空気の流入を止める逆止弁であり、ピストン部５０の押込み動作（下方移動）に連動して開けられる。注出弁３３は、突出筒部３１の内面に設けられた弁係合部３１ａに係合された弁本体部３３ａと、弁本体３３ａに連設されると共に、突出筒部３１の内周面に全周に亘って液密に密接するラッパ状に形成され、弾性的に縮径変形可能な弁部３３ｂと、を有している。
【００２８】
ピストン部５０は、シリンダ１０内に配設され、押下ヘッド４０に連係して該シリンダ１０内を上下移動するものであり、シリンダ１０内に摺動可能に配設されるピストン本体５０Ａと、押下ヘッド４０に固定され、シリンダ１０内においてピストン本体５０Ａを支持するピストン支持部６０とを備えている。ピストン本体５０Ａは、シリンダ本体部１１内に上下摺動自在に嵌合されたシール筒部５１と、有底筒状に形成され、その上端縁がシール筒部５１の内周面における上下方向の中間部に連結された底板部５２と、有頂筒状に形成され底板部５２から上方に向けて延びる被装着筒部５３と、を備えている。
【００２９】
シール筒部５１、底板部５２、及び被装着筒部５３は、軸線Ｏと同軸に配設されて構成されている。このピストン本体５０Ａは、シリンダ本体部１１を上方から気密に閉塞している。そして、シリンダ本体部１１とピストン本体５０Ａとで囲まれた空間は、吸い上げ筒２０から吸い上げられた内容物を収容する貯留空間Ｃを構成している。
【００３０】
ここで、シリンダ本体部１１の上端部には、規制部７０が装着されている。規制部７０は、シリンダ本体部１１の上端部に外嵌される外筒７１と、シリンダ本体部１１の上端部に内挿される内筒７２と、内筒７２よりも小径のガイド筒７３と、を備えている。また、外筒７１の上端部と内筒７２の上端部とは、環状の天壁板７４により互いに連結されている。また、内筒７２の下端部とガイド筒７３の下端部とは、環状の底壁板７５により互いに連結されている。底壁板７５の下面には、円筒状の被装着部７６が垂設されており、被装着部７６にスペーサ８０（後述）が装着されている。
【００３１】
押下ヘッド４０は、シリンダ１０の上部に上方付勢状態で下方移動可能に配設されている。押下ヘッド４０は、有頂筒状に形成されるとともにシリンダ本体部１１に外挿されている。押下ヘッド４０は、シリンダ１０に対して上下移動可能に構成され、操作者が押し下げ操作を行うためのものであり、規制部７０の外筒７１に外挿される押下外筒４１と、押下外筒４１の上端開口を閉塞する天壁部４２と、を備えている。
【００３２】
天壁部４２の下面には、弾性体のコイルバネ４３（付勢部材）を受ける円筒状のバネ受け部４４が垂設されている。コイルバネ４３は、押下ヘッド４０の天壁部４２と、規制部７０の底壁板７５と、の間に配設されている。コイルバネ４３は、規制部７０に対して押下ヘッド４０を上方へ向けて付勢している。
【００３３】
天壁部４２のバネ受け部４４よりも径方向内側には、ピストン支持部６０を支持する支持筒部４５が設けられている。支持筒部４５は、天壁部４２の下面から垂設された筒体であり、支持筒部４５の内周面には嵌合突起４５ａが形成されている。また、支持筒部４５の外周面には、上下方向に沿って延びると共に、周方向に間隔をあけて複数のガイド溝４５ｂが形成されている。
【００３４】
支持筒部４５が挿入される規制部７０のガイド筒７３の内周面には、上下方向に沿って延びるリブ７３ａが周方向に間隔をあけて複数形成されている。これら複数のリブ７３ａは、支持筒部４５の複数のガイド溝４５ｂに挿入される。これにより、規制部７０に対する押下ヘッド４０の上下方向の相対移動を可能としつつ、押下ヘッド４０の周方向への相対回転を規制する構成となっている。
【００３５】
ピストン支持部６０は、押下ヘッド４０に固定され、シリンダ１０の内側においてピストン本体５０Ａを支持するものである。ピストン支持部６０は、押下ヘッド４０の支持筒部４５に嵌合した有頂筒状の嵌合筒部６１と、嵌合筒部６１の下端部から径方向外側に向けて突出した支持フランジ部６２と、を備えている。
【００３６】
嵌合筒部６１は、支持筒部４５の径方向内側に嵌合した筒状部であり、軸線Ｏを中心軸にして上下方向に沿って延設されている。嵌合筒部６１の外周面には、支持筒部４５の嵌合突起４５ａがアンダーカット嵌合する嵌合溝６１ａが形成されている。嵌合筒部６１の上端部は、押下ヘッド４０の天壁部４２まで延び、天壁部４２と共に押下ヘッド４０の上面を形成している。一方、嵌合筒部６１の下端部は、支持筒部４５の下端部よりも下方まで延在している。
【００３７】
嵌合筒部６１の下端部に連設された支持フランジ部６２は、規制部７０と上下方向で対向可能な位置まで径方向外側に延びている。嵌合筒部６１の下端開口の内周面には、係合凸部６１ｂが形成されている。係合凸部６１ｂは、支持筒部４５の下端開口に挿入されたピストン本体５０Ａの被装着筒部５３の外周面に設けられた被係合凸部５３ａと、上下方向で係合している。支持フランジ部６２の下面は、ピストン本体５０Ａの底板部５２内に配置されると共に、底板部５２の上面に当接した状態とされている。これにより、ピストン本体５０Ａがピストン支持部６０を介して、押下ヘッド４０の上下移動に連係するようになっている。
【００３８】
スペーサ８０は、規制部７０に装着され、ピストン部５０の上死点の位置を下方に変更するものである。規制部７０には、底壁板７５の下面からピストン支持部６０の支持フランジ部６２の上面に向かって延びる被装着部７６が形成されている。スペーサ８０は、被装着部７６に装着可能な装着部８１と、装着部８１に連設され、ピストン支持部６０に向かって延び、支持フランジ部６２の上面に当接可能な当接部８２と、を備えている。
【００３９】
規制部７０の被装着部７６は、図２に示すように、底壁板７５の下面から下方に延びる筒状部であり、被装着部７６の外周面には、径方向外側に突出する被係合突起７６ａが形成されている。被係合突起７６ａは、被装着部７６の外周面の周方向に間欠的または連続的に形成されている。この被係合突起７６ａは、被装着部７６の外周面の上下方向に間隔をあけて２列形成されている。
【００４０】
スペーサ８０の装着部８１は、被装着部７６の外周面に対向する第１周壁８１ａと、第１周壁８１ａの径方向内側に配置され、被装着部７６の内周面に対向する第２周壁８１ｂと、第１周壁８１ａと第２周壁８１ｂを径方向で接続する環状底壁８１ｃと、を備えている。第１周壁８１ａ、第２周壁８１ｂ、及び環状底壁８１ｃは、被装着部７６が上方から挿入可能な有底環状の係合溝を形成している。
【００４１】
第１周壁８１ａの内周面には、径方向内側に突出する係合突起８１ａ１が形成されている。係合突起８１ａ１は、第１周壁８１ａの内周面の周方向に間欠的または連続的に形成されている。この係合突起８１ａ１は、被係合突起７６ａと同様に、第１周壁８１ａの内周面の上下方向に間隔をあけて２列形成されている。この係合突起８１ａ１の下面が、被係合突起７６ａの上面に係合する（乗り上げる）ことで、規制部７０にスペーサ８０が装着される。
【００４２】
第２周壁８１ｂには、第１周壁８１ａのような係合突起８１ａ１は形成されておらず、第２周壁８１ｂの上端面は、第１周壁８１ａの上端面よりも僅かに低くなっている。環状底壁８１ｃの上面には、スペーサ８０に装着された被装着部７６の下端面が当接する（図１参照）。環状底壁８１ｃの下面における、第１周壁８１ａより径方向内側且つ第２周壁８１ｂより径方向外側には、当接部８２が連設されている。
【００４３】
当接部８２は、環状底壁８１ｃの下面から下方に延びる筒状部である。当接部８２の径方向位置は、被装着部７６の径方向位置と一致している。当接部８２の下端面は、図１に示すように、上下方向において、ピストン支持部６０の支持フランジ部６２の上面と対向し当接可能とされている。すなわち、当接部８２の下端面が、支持フランジ部６２の上面に当接することで、それ以上のピストン支持部６０の上方移動が規制される。
【００４４】
次に、上述した定量注出器１を用いた内容物の注出方法について説明する。
図１に示すように、コイルバネ４３による上方付勢力に対抗して押下ヘッド４０を押し下げると、押下ヘッド４０の下方移動に連係してピストン部５０がシリンダ１０に対して下方に移動する。そして、押下ヘッド４０の押し下げを解除すると、押下ヘッド４０は、コイルバネ４３による上方付勢力によって上方に移動し、押下ヘッド４０の上方移動に連係してピストン部５０がシリンダ１０に対して上方に移動する。
【００４５】
ピストン部５０は、ピストン支持部６０を介して押下ヘッド４０に固定され、押下ヘッド４０の上方移動に連係している。このため、ピストン部５０は、ピストン支持部６０が規制部７０に装着されたスペーサ８０と当接するまで上方移動する。このときの、押下ヘッド４０のストローク量に応じて、シリンダ本体部１１内の貯留空間Ｃに負圧が発生する。
【００４６】
これにより、吸い上げ筒２０の吸い上げ弁２６は、吸い上げ連通口１１ａを開放してシリンダ１０内と吸い上げ筒２０内とを連通させる。すると、容器２内の内容物が吸い上げ筒２０および吸い上げ弁２６を通り貯留空間Ｃ内に吸い上げられる。このときの、貯留空間Ｃへの内容物の流入量は、貯留空間Ｃ内に発生した負圧、すなわちストローク量に対応している。なお、この際、注出筒３０の内部に配置されている注出弁３３は、注出筒３０の内部を閉鎖してシリンダ１０内との連通を遮蔽している。
【００４７】
この状態で、押下ヘッド４０を再び押し下げると、シリンダ本体部１１内が正圧になり、注出弁３３が、注出筒３０の内部を開放してシリンダ１０内と注出筒３０内とを連通させる。これにより、シリンダ本体部１１の貯留空間Ｃに貯留された内容物は、注出筒３０から注出される。なお、注出時において、吸い上げ弁２６は、吸い上げ筒２０の内部を閉鎖してシリンダ１０と吸い上げ筒２０とを遮蔽している。そのため、シリンダ本体部１１内の内容物は、吸い上げ筒２０に戻されない。
以上のようにして、定量注出器１から内容物を注出することができる。
【００４８】
次に、図３を参照して、スペーサ８０を装着しなかった場合の注出量と比較する。
図３に示すように、規制部７０にスペーサ８０を装着しなかった場合、押下ヘッド４０の押し下げを解除すると、ピストン部５０は、ピストン支持部６０が規制部７０の被装着部７６の下端に当接するまで上方移動する。このときのピストン部５０の上死点の位置をＴ１とする。ピストン部５０の上死点の位置がＴ１の場合、定量注出器１の注出量の設定値（最大）は、例えば、５０ｍｌ（ミリリットル）となる。
【００４９】
一方、規制部７０にスペーサ８０を装着した場合、ピストン部５０は、規制部７０の被装着部７６よりも下方に延びたスペーサ８０の下端に当接するため、ピストン部５０の上死点の位置はＴ１からＴ２に下方に変更される。ピストン部５０の上死点の位置がＴ２の場合、定量注出器１の注出量の設定値は、例えば、４５ｍｌとなる。このように、スペーサ８０を追加することで、定量注出器１の注出量の設定値を５ｍｌ小さくすることができる。
【００５０】
また、図４に示すように、スペーサ８０をさらに追加することで、定量注出器１の注出量の設定値をさらに小さくすることができる。図４に示すスペーサ８０は、規制部７０の被装着部７６と同じ形状の当接部８２を有している。このため、当接部８２に、もう一つのスペーサ８０の装着部８１を装着することが可能となる。具体的に、当接部８２には、被装着部７６の被係合突起７６ａと同じ形状、同じ配置の第２の被係合突起８２ａが形成されている。図４に示すように、スペーサ８０を連結していくことで、定量注出器１の注出量の設定値を５ｍｌずつ小さくすることができる。
【００５１】
また、注出量の設定値を決定する当接部８２の上下方向の長さＬは、適宜変更することができる。例えば、図５に示すように、当接部８２の長さＬを長くすれば、定量注出器１の注出量の設定値を１０ｍｌずつ小さくすることも可能である。なお、スペーサ８０の下半分である当接部８２は、スペーサ８０を樹脂成型する金型のキャビティまたはコアの交換で、その長さＬを変更可能であるため、金型代の低減が見込める。また、当接部８２の短いスペーサ８０（例えば５ｍｌ調整用）と、当接部８２の長いスペーサ８０（例えば１０ｍｌ調整用）を組み合わせて連結させてもよい。この場合、当接部８２の長さに応じてスペーサ８０の成形色を変えれば、製造時の組み込み間違えなどを防止できる。
【００５２】
このように、本実施形態の定量注出器１によれば、シリンダ１０内においてピストン部５０の上方移動量を規制する規制部７０に、スペーサ８０を装着することで、ピストン部５０の上死点の位置を下げ、注出量の設定値を減らすことができる。これにより、定量注出器１の主要な各部品（シリンダ１０など）を新規に作製する必要がなくなり、既存の部品を流用でき、それでいて注出精度も従来と同等に得られる。また、スペーサ８０は、構造的にも単純であるため、定量注出器１の主要な各部品を新規に作製するよりも、作製費用及び作製期間を大幅に改善することができる。
【００５３】
したがって、上述した本実施形態によれば、注出される内容物を一時的に収容するシリンダ１０と、シリンダ１０に連設されるとともに内容物が収容される容器２の口部２ａに配設されて、シリンダ１０の内圧の増減に応じて該シリンダ１０との連通および遮断が切り替えられる吸い上げ筒２０と、シリンダ１０に直結されて側方に向けて延び、シリンダ１０の内圧の増減に応じて該シリンダ１０との連通および遮蔽が切り替えられる注出筒３０と、シリンダ１０に上方付勢状態で下方移動可能に配設された有頂筒状の押下ヘッド４０と、シリンダ１０内に配設され、押下ヘッド４０に連係して該シリンダ１０内を上下移動するピストン部５０と、シリンダ１０に固定され、ピストン部５０の上方移動量を規制する規制部７０と、規制部７０に装着され、ピストン部５０の上死点の位置を下方に変更するスペーサ８０と、を備える、という構成を採用することによって、注出量の設定値の異なる定量注出器１を容易に製造することが可能となる。
【００５４】
また、本実施形態では、規制部７０は、ピストン部５０に向かって延びる被装着部７６を有し、スペーサ８０は、被装着部７６に装着可能な装着部８１と、装着部８１に連設され、ピストン部５０に向かって延び、ピストン部５０と当接可能な当接部８２と、を有し、当接部８２は、図４に示すように、被装着部７６と同じ形状を有している。この構成によれば、スペーサ８０の当接部８２に、もう一つのスペーサ８０の装着部８１を装着できるようになり、スペーサ８０同士を連結できる。これにより、注出量の設定値に応じて、スペーサ８０を追加し、ピストン部５０の上死点の位置を段階的に下方に変更することが可能になる。
【００５５】
また、本実施形態では、図１に示すように、ピストン部５０は、シリンダ１０内に摺動可能に配設されるピストン本体５０Ａと、押下ヘッド４０に固定され、シリンダ１０内においてピストン本体５０Ａを支持するピストン支持部６０と、を有し、スペーサ８０は、規制部７０とピストン支持部６０との間に配設されるとともに、規制部７０に装着されていている。この構成によれば、スペーサ８０が、可動しない規制部７０に装着されるとともに、ピストン支持部６０との間に配設されることで、スペーサ８０の装着が安定性し、かつピストン支持部６０からピストン本体５０Ａが脱離するなどの不具合も抑制可能になる。
【００５６】
以上、本発明の実施形態について図面を参照して詳述したが、具体的な構成はこの実施形態に限られるものではなく、本発明の要旨を逸脱しない範囲の設計変更等も含まれる。
【００５７】
例えば、上述した実施形態では、スペーサ８０が規制部７０に装着される構成について説明したが、スペーサ８０がピストン部５０に装着される構成であっても構わない。例えば、ピストン支持部６０の支持フランジ部６２の上面に、被装着部７６を天地逆転させた形状の筒状部を形成すれば、ピストン支持部６０にスペーサ８０を装着することが可能となる。また、スペーサ８０は、規制部７０とピストン部５０の両方に装着される構成であっても構わない。なお、スペーサ８０は、ピストン支持部６０だけでなくピストン本体５０Ａ１に装着されていても構わない。
【００５８】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００５９】
１  定量注出器
２  容器
２ａ  口部
１０  シリンダ
２０  吸い上げ筒
３０  注出筒
４０  押下ヘッド
５０  ピストン部
５０Ａ  ピストン本体
６０  ピストン支持部
７０  規制部
７６  被装着部
８０  スペーサ
８１  装着部
８２  当接部
Ｃ  貯留空間
Ｏ  軸線
【図１】
2020070068.tif 000003
【図２】
2020070068.tif 000004
【図３】
2020070068.tif 000005
【図４】
2020070068.tif 000006
【図５】
2020070068.tif 000007